(57)【要約】【目的】  ハンズフリー電話において、携帯電話機の機種に応じた受話音量変動に対する受話音量調整を自動化する「車載のハンズフリー電話装置」を提供することである。【構成】  車載機に携帯電話機を接続してハンズフリーで電話する車載のハンズフリー電話装置において、車載機にスピーカ及びマイクを設けると共に、発呼に際して網側から携帯電話機を介して送られてくるリンギングバックトーンの音量を検出する音量検出部、該リンギングバックトーンの音量に基づいてスピーカから出力する音声の音量を制御する音量制御部を設ける。【選択図】        図２
2006211077.tif 000002
【特許請求の範囲】
【請求項１】
車載機に携帯電話機を接続してハンズフリーで電話する車載のハンズフリー電話装置において、
車載機にスピーカ及びマイクを設けると共に、
発呼に際して網側から携帯電話機を介して送られてくるリンギングバックトーンの音量を検出する音量検出部と、該リンギングバックトーンの音量に基づいて前記スピーカから出力する音声の音量を制御する音量制御部、
を備えたことを特徴とするハンズフリー電話装置。
【請求項２】
車載機に携帯電話機を接続してハンズフリーで電話する車載のハンズフリー電話装置において、
車載機にスピーカ及びマイクを設けると共に、
特定のダイヤル先から受信する定型音声の音量を検出する音量検出部と、該定型音声の音量に基づいて前記スピーカから出力する音声の音量を制御する音量制御部、
を備えたことを特徴とするハンズフリー電話装置。
【発明の詳細な説明】
【技術分野】
【０００１】
本発明は車載のハンズフリー電話装置に係わり、特に、受話音量制御機能を備えた車載のハンズフリー電話装置に関する。
【背景技術】
【０００２】
車載のハンズフリー電話装置は、自動車に車載機を搭載し、該車載機に携帯電話機を接続してハンズフリーで電話するようになっている。図４はハンズフリー電話の説明図であり、１は車載機、２は携帯電話機、3は相手電話機であり、車載機１と携帯電話機２によりハンズフリー電話装置が構成される。
車載機１はインテリジェント機能を備え、ハンズフリー機能（自動車電話機能）や車載ナビゲーション機能、オーディオ機能を備えている。車載機１の操作キーを操作して、車内より発呼すれば、携帯電話機２、図示しない無線基地局、公衆電話網を介して相手先電話機３に接続して相手と通話し、また、外部の電話機からの着信に応答して相手と電話できるようになっている。
【０００３】
図５は車載機の全体構成図である。車載機は車載ナビゲーション制御を実行するナビゲーションユニット１１、ハンズフリー電話制御を行なうハンズフリーユニット１２、オーディオユニット１３を備え、これらにインターフェース１４を介して操作キー部１５や表示装置１６などが接続されている。ハンズフリーユニット１２はマイコン構成になっており、プロセッサ、プログラムメモリ、データメモリ等を備え、オーディオユニット１３は図示しないチューナやＣＤプレーヤなどのオーディオソースからの音楽や呼出音(リンギングトーン)、電話音声、ナビゲーション案内音声を適宜選択的に出力するようになっている。表示装置１６はタッチパネル１６ａで構成されており、スクリーン１６ｂに地図や各種メニューを表示し、タッチしてデータやコマンドを入力するようになっている。又、スクリーンの側部及び下部に操作キー部１６ｃが設けられている。操作キー部１５や操作キー１６ｃのキー、ボタンは、分類すると、(1)各ユニット１１〜１３に共通なキー、ボタン類、(2)各ユニット１１〜１３に単独で使用されるキー、ボタン類がある。ユーザインターフェース１４は操作キーの上記分類を保持しており、適宜、車載機の状態に応じて操作キーからの指示を対応するユニット１１〜１３に入力する。
【０００４】
携帯電話機２とハンズフリーユニット１２間には電話機インターフェース１７が設けられ、相互に音声信号、制御データ(着信、発信制御データなど)を送受するようになっている。電話機インターフェース部１７は、送受信部を備え、携帯電話機２０や図示しない移動電話網、一般公衆網等を介して相手電話機と音声で電話するようになっている。また、電話機インターフェース部１７はハンズフリー制御時、相手音声信号を、オーディオユニット１３を介してスピーカ１８より出力し、マイク１９から入力したユーザの音声信号をオーディオユニットから取り込むようになっている。
【０００５】
図６は携帯電話機２の構成図であり、主に網側から受信した信号を処理して車載機１に送出する下り方向の経路を示している。受信機２１の無線部（ＲＦ）２１ａはアンテナ２０で受信した高周波信号を増幅すると共に周波数をＲＦ周波数からべースバンド周波数にダウンコンバートし、べースバンド処理部（ＢＢ）２１ｂはべースバンド信号に直交復調処理を施して出力する。デコーダ２２は復調信号に誤り検出訂正処理を施した後、復号処理を実行し、ＤＳＰ ２３は復号された送信データに対して所定の信号処理を施して音声データを出力する。ＤＡ変換部２４は該音声データをアナログに変換し、アンプ２５は該アナログの音声信号を増幅して車載機１に送出する。
【０００６】
ところで、携帯電話機は多くのメーカが製造、販売しており、携帯電話機の機種によっては、ＤＳＰ２３やＤＡ変換器、アンプ２５の相違に起因して、車載機１へ送出する音声信号レベルに差が発生する。このため、車載機１のスピーカ１８から出力する受話音量に差が生じ、ユーザは使用する携帯電話機に合せて音量調整しなければならない。かかる音量調整は、ユーザが実際に通話しながら音量調整しないと意図した受話音量にならず、また、音量調整に際して調整範囲や段階が十分でないと意図した受話音量にならず、快適な通話環境にならない問題がある。このため、自動的に音量調整できれば便利である。
地域毎に受話音量レベルを記憶しておき、発呼者の所在地域を該発呼者の電話番号を用いて識別し、該所在地域に応じた受話音量で音量を自動的に調整する方法がある(たとえば特許文献１参照)。しかし、かかる方法では、携帯電話機の機種に応じた受話音量変動に対応できない。
【特許文献１】特開平５−１７６０２４号公報
【発明の開示】
【発明が解決しようとする課題】
【０００７】
以上から本発明の目的は、携帯電話機の機種に応じた受話音量調整を自動化することである。
本発明の別の目的は、携帯電話機の機種に応じた受話音量調整を自動化することにより、ユーザの手を煩わせること無く、適切な受話音量に調整し、ユーザに快適なハンズフリー通話環境を提供することである。
【課題を解決するための手段】
【０００８】
上記課題は本発明によれば、車載機に携帯電話機を接続してハンズフリーで電話する車載のハンズフリー電話装置において、車載機にスピーカ及びマイクを設けると共に、発呼に際して網側から携帯電話機を介して送られてくるリンギングバックトーンの音量を検出する音量検出部と、該リンギングバックトーンの音量に基づいて前記スピーカから出力する音声の音量を制御する音量制御部を備えたハンズフリー電話装置により達成される。
又、上記課題は本発明によれば、車載機に携帯電話機を接続してハンズフリーで電話する車載のハンズフリー電話装置において、車載機にスピーカ及びマイクを設けると共に、特定のダイヤル先から受信する定型音声の音量を検出する音量検出部と、該定型音声の音量に基づいて前記スピーカから出力する音声の音量を制御する音量制御部を備えたハンズフリー電話装置により達成される。
【発明の効果】
【０００９】
本発明によれば、携帯電話機の機種に応じた受話音量変動に対する受話音量調整を自動化でき、これにより、ユーザの手を煩わせること無く、適切な受話音量に調整し、ユーザに快適なハンズフリー通話環境を提供することができる。
【発明を実施するための最良の形態】
【００１０】
車載機に携帯電話機を接続してハンズフリーで電話する車載のハンズフリー電話装置において、車載機にスピーカ及びマイクを設けると共に、リンギングバックトーンの音量を検出する音量検出部とスピーカから出力する音声の音量を制御する音量制御部を設ける。音量検出部は、発呼に際して網側から携帯電話機を介して送られてくるリンギングバックトーンの音量を検出し、音量制御部は該リンギングバックトーンの音量に基づいてスピーカから出力する音声の音量が所定音量となるように制御する。
【実施例１】
【００１１】
図１は本発明のハンズフリー電話装置の説明図であり、５１は車載機、５２は携帯電話機、５３は網（無線基地局、公衆話網等）、５４は相手電話機であり、車載機５１と携帯電話機５２によりハンズフリー電話装置が構成される。
車載機５１は、図５で説明したようにインテリジェント機能を備え、ハンズフリー機能（自動車電話機能）や車載ナビゲーション機能、オーディオ機能を備えている。携帯電話機５２を車載機５１にセットした状態で、車載機５１の操作キーを操作して車内より発呼すれば、携帯電話機５２は相手ダイヤル番号を網５３に送信する。網５３は発呼があると相手電話機５４を呼出音(リンギングトーン)で呼び出す。また、網はリンギングバックトーンを、携帯電話機５２を介して車載機５１に送り、車載機５１のスピーカより出力する。相手電話機５４が呼出に応答すれば、網５３は呼出を終了し、車載機５１と相手電話機５４間を接続して、両者間で通話が可能になる。
【００１２】
図2は車載機５１におけるハンズフリー電話装置部分の要部構成図である。電話機インターフェース部６１は、制御線５５を介して携帯電話機５２とハンズフリー制御部６２との間で制御データ(着信／発信制御データ、相手ダイヤル番号など)を送受する。又、電話機インターフェース部６１は、携帯電話機５２、網５３を介して相手電話機５４と音声信号を送受するようになっている。すなわち、電話機インターフェース部６１は、ハンズフリー通話時、相手電話機５４からの音声信号を信号線５６より受信して分岐部６３、増幅部６４を介してスピーカ６５より出力し、また、マイク６６から入力したユーザの音声信号を信号線５７より携帯電話機５２、網５３を介して相手先電話機５４に送出するようになっている。
操作部６７は発呼、着信時に際して操作する種々のキーを備え、発呼に際して相手ダイヤル番号を入力して発呼ボタンを押せば、ハンズフリー制御部６２は該ダイヤル番号を携帯電話機５２に入力し、携帯電話機５２は網５３にダイヤル番号を送出して発呼を行なう。
分岐部６３は信号線５６を介して携帯電話機５２から入力するリンギングバックトーンや相手電話機からの音声信号をゲイン可変の増幅部６４と受話音量制御部６８に分岐する。なお、リンギングバックトーンのみ分岐するように構成することもできる。
【００１３】
受話音量制御部６８のリンギングバックトーン検出／音量測定部６８ａは、発呼時に網５３から送出されるリンギングバックトーンを検出し、該リンギングバックトーンの音量を測定する。なお、リンギングバックトーン検出／音量測定部６８ａは、ハンズフリー制御部６２からリンギングバックトーンの受信タイミングを受信し、該受信タイミング期間に受信した信号をリンギングバックトーンとみなしてその音量を測定する。
網５３から送出されるリンギングバックトーンの音量は一定値であるが、リンギングバックトーン検出／音量測定部６８ａに入力するリンギングバックトーンの音量は、携帯電話機５２の機種によって変化する。アンプゲイン決定部６８ｂは、設定レベルとリンギングバックトーン検出／音量測定部６８ａにより測定されたレベルとを比較し、スピーカ６５から出力するリンギングバックトーンの音量が一定になるように増幅器６４のゲインを決定し、該増幅器６４に入力する。すなわち、測定レベルが設定レベルより小さければゲインをその差に応じて増大し、測定レベルが設定レベルより大きければ差に応じてゲインを減少する。増幅器６４はアンプゲイン決定部６８ｂから指示されたゲインで以後相手電話機５４から受信する音声信号を増幅してスピーカ６５に入力する。
以上第１実施例によれば、リンギングバックトーンの音量を測定してゲインを調整することで携帯電話機の機種に応じた受話音量変動に対する受話音量調整を自動化でき、これにより、ユーザの手を煩わせること無く、適切な受話音量に調整し、ユーザに快適なハンズフリー通話環境を提供することができる。
【実施例２】
【００１４】
図３は本発明の第２実施例説明図であり、図２の第１実施例と同一部分には同一符号を付している。異なる点は、受話音量制御部６８が、リンギングバックトーンの音量を測定する代わりに、特定の着信先から送られてくる音声(定型音という)の音量レベルを測定してゲインを決定する点である。
すなわち、ハンズフリー電話装置の初期設定時において、操作部６７を操作して一定レベルの定型音を送出する特定のダイヤルに発呼する。これにより、定型音検出／音量測定部６８ｃは該ダイヤル先から送られてくる定型音を検出し、そのレベルを測定する。なお、定型音検出／音量測定部６８ｃは、ハンズフリー制御部６２から定型音の受信タイミングを受信し、該受信タイミング期間に受信した信号を定型音とみなしてその音量を測定する。
前記ダイヤル先から送出される定型音の音量は一定値であるが、定型音検出／音量測定部６８ｃに入力する定型音の音量は、携帯電話機５２の機種によって変化する。アンプゲイン決定部６８ｄは、設定レベルと定型音検出／音量測定部６８ｃにより測定されたレベルとを比較し、スピーカ６５から出力する定型音の音量が一定になるように増幅器６４のゲインを決定し、該増幅器６４に入力する。すなわち、測定レベルが設定レベルより小さければゲインをその差に応じて増大し、測定レベルが設定レベルより大きければ差に応じてゲインを減少する。増幅器６４はアンプゲイン決定部６８ｄから指示されたゲインで以後相手電話機５４から受信する音声信号を増幅してスピーカ６５に入力する。
以上第２実施例によれば、定型音の音量を測定してゲインを調整することで携帯電話機の機種に応じた受話音量変動に対する受話音量調整を自動化でき、これにより、ユーザの手を煩わせること無く、適切な受話音量に調整し、ユーザに快適なハンズフリー通話環境を提供することができる。
【図面の簡単な説明】
【００１５】
【図１】本発明のハンズフリー電話装置の説明図である。
【図２】本発明の第１実施例の車載機におけるハンズフリー電話装置部分の要部構成図である。
【図３】本発明の第２実施例の車載機におけるハンズフリー電話装置部分の要部構成図である。
【図４】ハンズフリー電話の説明図である。
【図５】車載機の全体構成図である。
【図６】携帯電話機の構成図である。
【符号の説明】
【００１６】
５１  車載機
５２  携帯電話機
６１  電話機インターフェース部
６２  ハンズフリー制御部
６３  分岐部
６４  増幅部
６５  スピーカ
６６  マイク
６７  操作部
６８  受話音量制御部
６８ａ  リンギングバックトーン検出／音量測定部
６８ｂ  アンプゲイン決定部
【図１】
2006211077.tif 000003
【図２】
2006211077.tif 000004
【図３】
2006211077.tif 000005
【図４】
2006211077.tif 000006
【図５】
2006211077.tif 000007
【図６】
2006211077.tif 000008